(57)【要約】【課題】  ショートサーキットの発生を抑えることができる空気調和機の室内機を提供する。【解決手段】  空気調和機の輻射型室内機２ａは、温度調整ユニット２０ａと、第１輻射パネル２２ａとを備える。温度調整ユニット２０ａは、室内の空気が吸い込まれる吸込口２５と、吸込口２５から吸い込まれた空気の温度調整を行う室内熱交換器２１と、温度調整された空気が吹き出される第１側面吹出口３１とを有する。第１輻射パネル２２ａは、温度調整ユニット２０ａと水平方向に並んで且つ室内の側壁に平行に配置され、第１側面吹出口３１から吹き出された空気が送られる内部空間を構成し、所定の輻射率を有する繊維系材料で形成されている。【選択図】      図３
2007032865.tif 000002
【特許請求の範囲】
【請求項１】
室内（ＲＳ）の空気が吸い込まれる吸込口（２５，３６）と、前記吸込口（２５，３６）から吸い込まれた空気の温度調整を行う温度調整部（２１）と、温度調整された前記空気が吹き出される第１吹出口（３１）とを有する室内機本体（２０ａ，２０ｂ，２０ｃ）と、
前記室内機本体（２０ａ，２０ｂ，２０ｃ）と水平方向に並んで且つ前記室内（ＲＳ）の側壁に平行に配置され、前記第１吹出口（３１）から吹き出された空気が送られる内部空間を構成し、所定の輻射率を有する繊維系材料で形成された第１輻射パネル（２２ａ）と、
を備える空気調和機（１００）の室内機（２ａ，２ｂ，２ｃ）。
【請求項２】
前記第１吹出口（３１）は、前記室内機本体（２０ａ，２０ｂ，２０ｃ）の側面に設けられ、
前記第１輻射パネル（２２ａ）は、前記室内機本体（２０ａ，２０ｂ，２０ｃ）の側方に配置される、
請求項１に記載の空気調和機（１００）の室内機（２ａ，２ｂ，２ｃ）。
【請求項３】
前記室内機本体（２０ａ，２０ｂ，２０ｃ）は、温度調整された前記空気を前記室内（ＲＳ）へと吹き出す第２吹出口（３２，３４）をさらに有する、
請求項２に記載の空気調和機（１００）の室内機（２ａ，２ｂ，２ｃ）。
【請求項４】
前記第２吹出口（３２）は、前記室内機本体（２０ａ，２０ｃ）の上面に設けられる、
請求項３に記載の空気調和機（１００）の室内機（２ａ，２ｃ）。
【請求項５】
前記第２吹出口（３４）は、前記室内機本体（２０ｂ）の正面に設けられる、
請求項３に記載の空気調和機（１００）の室内機（２ｂ）。
【請求項６】
前記第２吹出口（３４）は、前記室内機本体（２０ｂ）の正面上部に設けられ、
前記室内機本体（２０ｂ）は、正面下部に設けられ温度調整された前記空気を前記室内（ＲＳ）へと吹き出す第３吹出口（３５）をさらに有する、
請求項５に記載の空気調和機（１００）の室内機（２ｂ）。
【請求項７】
前記室内機本体（２０ｂ）は、冷房運転時には前記第３吹出口（３５）を閉じ暖房運転時には前記第３吹出口（３５）を開く開閉機構（４３）をさらに有する、
請求項６に記載の空気調和機（１００）の室内機（２ｂ）。
【請求項８】
前記室内機本体（２０ｃ）は、前記第１吹出口（３１）が設けられた側面において前記第１吹出口（３１）と水平方向に並んで設けられ温度調整された前記空気を前記室内（ＲＳ）へと吹き出す第４吹出口（３７）をさらに有する、
請求項２から７のいずれかに記載の空気調和機（１００）の室内機（２ｃ）。
【請求項９】
前記第４吹出口（３７）からは前記第１輻射パネル（２２ａ）に沿う方向に前記空気が吹き出される、
請求項８に記載の空気調和機（１００）の室内機（２ｃ）。
【請求項１０】
前記室内機本体（２０ａ，２０ｂ，２０ｃ）は、前記第１吹出口（３１）が設けられた側面の反対側に位置する側面に設けられ温度調整された前記空気が吹き出される第５吹出口（３３）をさらに有し、
前記第１輻射パネル（２２ａ）との反対側に前記第１前記室内機本体（２０ａ，２０ｂ，２０ｃ）と水平方向に並んで且つ前記室内（ＲＳ）の側壁に平行に配置され、前記第５吹出口（３３）から吹き出された空気が送られる内部空間を構成し、所定の輻射率を有する繊維系材料で形成された第２輻射パネル（２２ｂ）をさらに備える、
請求項２から９のいずれかに記載の空気調和機（１００）の室内機（２ａ，２ｂ，２ｃ）。
【請求項１１】
前記吸込口（２５，３６）は、前記室内機本体（２０ａ，２０ｂ，２０ｃ）の正面に設けられる、
請求項１から１０のいずれかに記載の空気調和機（１００）の室内機（２ａ，２ｂ，２ｃ）。
【発明の詳細な説明】
【技術分野】
【０００１】
本発明は、空気調和機の室内機に関する。
【背景技術】
【０００２】
本願発明者は、輻射パネル表面からの穏やかな空気の吹き出しと輻射との併用によってドラフト感が抑えられた快適な空気調和を行うことができる空気調和機を案出している。この空気調和機は、温度調整された空気を吹き出す室内機本体と、室内機本体から吹き出された空気が送られる内部空間を構成し所定の輻射率を有する繊維系材料で形成された輻射パネルとを備えている。室内機本体は、室内の壁面上部に設けられる壁掛け型の室内機であり、輻射パネルは、一端が室内機本体に接続され、天井面や室内の壁面に沿って設けられる。この空気調和機では、輻射パネルの内部空間へ送られた空気が輻射パネルの繊維の隙間を通って輻射パネルの表面から穏やかに室内へと吹き出される。また、温度調整された空気によって輻射パネル自体が温度調整され、その表面から輻射が生じる。これにより、吹き出しと輻射とを併用した冷暖房等の空気調和が行われる（特許文献１参照）。
【特許文献１】特開２００４−２７１１７１号公報
【発明の開示】
【発明が解決しようとする課題】
【０００３】
上記のような従来の空気調和機において、輻射パネルが室内の壁面に沿って設けられる場合、輻射パネルは、壁面上部に設けられた室内機本体の下部に接続され、室内機本体の下方に延設される。この場合、暖房運転時には、輻射パネルから吹き出された暖かい空気は上方へと流れ易くなるが、室内機本体が輻射パネルの上方に位置しているため、輻射パネルから吹き出された空気が直ちに室内機本体へと吸い込まれてしまうショートサーキットが生じる恐れがある。
【０００４】
本発明の課題は、ショートサーキットの発生を抑えることができる空気調和機の室内機を提供することにある。
【課題を解決するための手段】
【０００５】
第１発明に係る空気調和機の室内機は、室内機本体と、第１輻射パネルとを備える。室内機本体は、室内の空気が吸い込まれる吸込口と、吸込口から吸い込まれた空気の温度調整を行う温度調整部と、温度調整された空気が吹き出される第１吹出口とを有する。第１輻射パネルは、室内機本体と水平方向に並んで且つ室内の側壁に平行に配置され、第１吹出口から吹き出された空気が送られる内部空間を構成し、所定の輻射率を有する繊維系材料で形成されている。
この空気調和機の室内機では、第１輻射パネルが室内機本体と水平方向に並んで且つ室内の側壁に平行に配置される。このため、第１輻射パネルから吹き出された空気が上昇して直ちに室内機本体に吸い込まれるショートサーキットの発生を抑えることができる。
【０００６】
第２発明に係る空気調和機の室内機は、第１発明の空気調和機の室内機であって、第１吹出口は、室内機本体の側面に設けられる。また、第１輻射パネルは、室内機本体の側方に配置される。
この空気調和機の室内機では、第１吹出口が室内機本体の側面に設けられ、第１輻射パネルは、室内機本体の側方に配置される。このため、第１輻射パネルから吹き出された空気が上昇して直ちに室内機本体に吸い込まれるショートサーキットの発生を抑えることができる。
【０００７】
第３発明に係る空気調和機の室内機は、第２発明の空気調和機の室内機であって、室内機本体は、温度調整された空気を前記室内へと吹き出す第２吹出口をさらに有する。
この空気調和機の室内機では、第２吹出口から直接的に室内へ空気を吹き出すことによって、第１輻射パネルからの吹き出しと輻射のみの場合よりも迅速に室内の空気調和を行うことができる。
【０００８】
第４発明に係る空気調和機の室内機は、第３発明の空気調和機の室内機であって、第２吹出口は、室内機本体の上面に設けられる。
この空気調和機の室内機では、室内機本体の上面に設けられた第２吹出口から直接的に室内へ空気を吹き出すことによって、第１輻射パネルからの吹き出しと輻射のみの場合よりも迅速に室内の空気調和を行うことができる。
【０００９】
第５発明に係る空気調和機の室内機は、第３発明の空気調和機の室内機であって、第２吹出口は、室内機本体の正面に設けられる。
この空気調和機の室内機では、室内機本体の正面に設けられた第２吹出口から直接的に室内へ空気を吹き出すことによって、第１輻射パネルからの吹き出しと輻射のみの場合よりも迅速に室内の空気調和を行うことができる。
【００１０】
第６発明に係る空気調和機の室内機は、第５発明の空気調和機の室内機であって、第２吹出口は、室内機本体の正面上部に設けられる。また、室内機本体は、正面下部に設けられ温度調整された空気を室内へと吹き出す第３吹出口をさらに有する。
この空気調和機の室内機では、第２吹出口と第３吹出口とが室内機本体の上下に配置されている。このため、上下方向の幅広い範囲に空気を吹き出すことができる。
【００１１】
第７発明に係る空気調和機の室内機は、第６発明の空気調和機の室内機であって、室内機本体は、冷房運転時には第３吹出口を閉じ暖房運転時には第３吹出口を開く開閉機構をさらに有する。
この空気調和機の室内機では、暖房時には第３吹出口からの、すなわち、室内機本体下部からの空気の吹き出しを行い、冷房時には室内機本体上部からの空気の吹き出しを停止させることができる。このため、暖房時には足下から暖かい快適な暖房を行うことができる。また、冷房時には、足下の冷えを抑えることができる。
【００１２】
第８発明に係る空気調和機の室内機は、第２発明から第７発明のいずれかの空気調和機の室内機であって、室内機本体は、第１吹出口が設けられた側面において第１吹出口と水平方向に並んで設けられ温度調整された空気を室内へと吹き出す第４吹出口をさらに有する。
この空気調和機の室内機では、第１輻射パネルからの輻射および空気の吹き出しと、第４吹出口からの直接的な空気の吹き出しとによって、室内の空気調和を行うことができる。このため、第１輻射パネルからの吹き出しと輻射のみの場合よりも迅速に室内の空気調和を行うことができる。
【００１３】
第９発明に係る空気調和機の室内機は、第８発明の空気調和機の室内機であって、第４吹出口からは第１輻射パネルに沿う方向に空気が吹き出される。
この空気調和機の室内機では、第４吹出口からは第１輻射パネルに沿う方向に空気が吹き出される。このため、水平方向により幅広く空気を吹き出すことができる。
【００１４】
第１０発明に係る空気調和機の室内機は、第２発明から第９発明のいずれかの空気調和機の室内機であって、第２輻射パネルをさらに備え、また、室内機本体は第５吹出口をさらに有する。第５吹出口は、第１吹出口が設けられた側面の反対側に位置する側面に設けられ温度調整された空気が吹き出される。第２輻射パネルは、第１輻射パネルとの反対側に第１前記室内機本体と水平方向に並んで且つ室内の側壁に平行に配置され、第５吹出口から吹き出された空気が送られる内部空間を構成し、所定の輻射率を有する繊維系材料で形成される。
この空気調和機の室内機では、第１輻射パネルと第２輻射パネルとによって、輻射および空気の吹き出しによる空気調和を行うことができる。このため、水平方向により幅広く室内の空気調和を行うことができる。
【００１５】
第１１発明に係る空気調和機の室内機は、第１発明から第１０発明のいずれかの空気調和機の室内機であって、吸込口は、室内機本体の正面に設けられる。
この空気調和機の室内機では、室内機本体の正面に設けられた吸込口から室内の空気を吸い込んで第１輻射パネルの内部空間へと送ることができる。
【発明の効果】
【００１６】
第１発明に係る空気調和機の室内機では、第１輻射パネルが室内機本体と水平方向に並んで且つ室内の側壁に平行に配置される。このため、第１輻射パネルから吹き出された空気が上昇して直ちに室内機本体に吸い込まれるショートサーキットの発生を抑えることができる。
第２発明に係る空気調和機の室内機では、第１吹出口が室内機本体の側面に設けられ、第１輻射パネルは、室内機本体の側方に配置される。このため、第１輻射パネルから吹き出された空気が上昇して直ちに室内機本体に吸い込まれるショートサーキットの発生を抑えることができる。
【００１７】
第３発明に係る空気調和機の室内機では、第２吹出口から直接的に室内へ空気を吹き出すことによって、第１輻射パネルからの吹き出しと輻射のみの場合よりも迅速に室内の空気調和を行うことができる。
第４発明に係る空気調和機の室内機では、室内機本体の上面に設けられた第２吹出口から直接的に室内へ空気を吹き出すことによって、第１輻射パネルからの吹き出しと輻射のみの場合よりも迅速に室内の空気調和を行うことができる。
【００１８】
第５発明に係る空気調和機の室内機では、室内機本体の正面に設けられた第２吹出口から直接的に室内へ空気を吹き出すことによって、第１輻射パネルからの吹き出しと輻射のみの場合よりも迅速に室内の空気調和を行うことができる。
第６発明に係る空気調和機の室内機では、第２吹出口と第３吹出口とが室内機本体の上下に配置されている。このため、上下方向の幅広い範囲に空気を吹き出すことができる。
【００１９】
第７発明に係る空気調和機の室内機では、暖房時には足下から暖かい快適な暖房を行うことができる。また、冷房時には、足下の冷えを抑えることができる。
第８発明に係る空気調和機の室内機では、第１輻射パネルからの輻射および空気の吹き出しと、第４吹出口からの直接的な空気の吹き出しとによって、室内の空気調和を行うことができる。このため、第１輻射パネルからの吹き出しと輻射のみの場合よりも迅速に室内の空気調和を行うことができる。
【００２０】
第９発明に係る空気調和機の室内機では、第４吹出口からは第１輻射パネルに沿う方向に空気が吹き出される。このため、水平方向により幅広く空気を吹き出すことができる。
第１０発明に係る空気調和機の室内機では、第１輻射パネルと第２輻射パネルとによって、輻射および空気の吹き出しによる空気調和を行うことができる。このため、水平方向により幅広く室内の空気調和を行うことができる。
【００２１】
第１１発明に係る空気調和機の室内機では、室内機本体の正面に設けられた吸込口から室内の空気を吸い込んで第１輻射パネルの内部空間へと送ることができる。
【発明を実施するための最良の形態】
【００２２】
＜第１実施形態＞
本発明の第１実施形態に係る空気調和機１００の冷媒回路図を図１に示す。この空気調和機１００は、室外機１と輻射型室内機２ａ（室内機）とを有し、室内ＲＳ（図２参照）の空気調和を行う。
【００２３】
〈室外機の構成〉
室外機１には、圧縮機１０と、圧縮機１０の吐出側に接続される四路切換弁１１と、圧縮機１０の吸入側に接続されるアキュムレータ１２と、四路切換弁１１に接続された室外熱交換器１３と、室外熱交換器１３に接続された電動膨張弁１４とが設けられている。電動膨張弁１４は、冷媒配管８１を介して後述する室内熱交換器２１の一端と接続される。また、四路切換弁１１は、冷媒配管８２を介して室内熱交換器２１の他端と接続されている。また、室外機１には、室外熱交換器１３での熱交換後の空気を外部に排出するための室外送風機１５が設けられている。この室外送風機１５は、室外ファン１６と、室外ファン１６を回転駆動する室外ファンモータ１７とを有している。
【００２４】
〈輻射型室内機の構成〉
輻射型室内機２ａは、図２に示すように、室内ＲＳの床面に側壁に沿って設置されており、例えば、側壁に設けられた窓と床面との間に設けられる。輻射型室内機２ａは、輻射と穏やかな空気の吹き出しとによってドラフトによる不快感が抑えられた冷暖運転、暖房運転、除湿運転等の空気調和運転を行うことができる。輻射型室内機２ａは、図１および図３に示すように、温度調整ユニット２０ａａ（室内機本体）と、輻射パネル２２とを有する。
【００２５】
〈温度調整ユニットの構成〉
温度調整ユニット２０ａａは、図３に示すように、床置き型の室内機であり、室内ＲＳから取り込まれた空気の温度調整または湿度調整を行い、温度調整または湿度調整された空気を輻射パネル２２が構成する内部空間へと送る装置である。温度調整ユニット２０ａａは、床面に配置されている。温度調整ユニット２０ａａは、図１に示すように、室内熱交換器２１（温度調整部）と、送風機２３と、室内熱交換器２１と送風機２３とを収容する温度調整ユニットケーシング２４（図３参照）とを有する。
【００２６】
室内熱交換器２１は、冷媒と空気との間で熱交換を行う。温度調整ユニット２０ａａの正面下部には、吸込口２５が設けられており、室内ＲＳの空気が吸込口２５から温度調整ユニット２０ａａの内部に取り込まれる。室内熱交換器２１は、この取り込まれた空気と冷媒との間で熱交換を行い、空気の温度調整または湿度調整を行う。
送風機２３は、シロッコファンなどの遠心送風機であり、吸込口２５から吸い込まれ室内熱交換器２１を通り輻射パネル２２の内部空間へと送られる空気の流れを生成する。室内ＲＳから温度調整ユニット２０ａａ内に取り込まれた空気は、室内熱交換器２１を通った後、吹出口３１−３３を介して輻射パネル２２の内部空間へと送られる。
【００２７】
温度調整ユニットケーシング２４は、床面に配置されており、鉛直方向に長い箱状の形状を有している。温度調整ユニットケーシング２４は、吸込口２５と吹出口３１−３３とを有する。吹出口３１−３３は、温度調整された空気が吹き出される開口であり、第１側面吹出口３１（第１吹出口）、第２側面吹出口３３（第５吹出口）および上面吹出口３２（第２吹出口）を有する。
【００２８】
第１側面吹出口３１は、温度調整ユニットケーシング２４の側面（以下「第１側面」という。）に設けられており、温度調整ユニットケーシング２４の上端近傍から下端近傍までに亘る鉛直方向に長い形状を有している。第１側面吹出口３１は、第１輻射パネル２２ａの内部空間と連通しており、室内熱交換器２１で温度調整または除湿された空気はこの第１側面吹出口３１を通って第１輻射パネル２２ａの内部空間へと送られる。
【００２９】
第２側面吹出口３３は、温度調整ユニットケーシング２４の第１側面吹出口３１が設けられた第１側面の反対側の側面（以下「第２側面」という。）に設けられている。第２側面吹出口３３は、第１側面吹出口３１と同様に、温度調整ユニットケーシング２４の上端近傍から下端近傍までに亘る鉛直方向に長い形状を有している。第２側面吹出口３３は、第２輻射パネル２２ｂの内部空間と連通しており、室内熱交換器２１で温度調整または除湿された空気はこの第２側面吹出口３３を通って第２輻射パネル２２ｂの内部空間へと送られる。
【００３０】
上面吹出口３２は、温度調整ユニットケーシング２４の上面に設けられている。上面吹出口３２は、室内ＲＳと連通しており、室内熱交換器２１で温度調整または除湿された空気はこの上面吹出口３２を通って直接的に室内ＲＳへと吹き出される。なお、上面吹出口３２には、上面吹出口３２の開閉を行う第１開閉機構４１が設けられている。第１開閉機構４１（図４参照）は、上面吹出口３２に設けられた板状部材（図示せず）を、制御部４からの指示信号に基づいて移動させることによって上面吹出口３２を開閉することができる。
【００３１】
吸込口２５は、室内ＲＳの空気が吸い込まれる開口であり、温度調整ユニットケーシング２４の正面下部に設けられている。
〈輻射パネルの構成〉
輻射パネル２２は、その表面から温度調整された空気の吹き出しと輻射とを発生させるパネル状の部材であり、第１輻射パネル２２ａと第２輻射パネル２２ｂとを有する。
【００３２】
第１輻射パネル２２ａは、上端と下端とが長辺となり両側端が短辺となった長方形形状の外形を有している。第１輻射パネル２２ａは、厚みの薄い平坦な形状を有しており、床面から起立して設けられており、側壁に沿って側壁に平行に配置されている。第１輻射パネル２２ａは、所定の輻射率を有し空気が透過する布等の繊維系材料によって形成されており、室内熱交換器２１によって温度調整又は湿度調整された空気が送られる内部空間を内部に構成するように中空に形成されている。なお、繊維系材料としては織布が望ましいが不織布や他の繊維系材料であってもよい。第１輻射パネル２２ａによって構成される内部空間には、温度調整ユニット２０ａａから温度調整された空気が送られることによって、大気圧より大きな圧力が生じる。また、第１輻射パネル２２ａを形成する繊維系材料は、柔軟且つ空気が透過可能であると共に約０．９の輻射率を有する。このため、内部空間に送られた空気は、第１輻射パネル２２ａの繊維の目の隙間から穏やかに室内ＲＳへと吹出される。また、内部空間に送られた空気によって第１輻射パネル２２ａの温度が調整されることにより、第１輻射パネル２２ａから輻射が生じる。これにより、穏やかな空気の吹出しと輻射とによって室内ＲＳの温度調整を行うことができる。なお、繊維系材料は伸縮性を有している。また、第１輻射パネル２２ａは、内部空間と第１側面吹出口３１とが連通するように温度調整ユニット２０ａａの第１側面に取り付けられており、温度調整ユニット２０ａａと水平方向に並んで温度調整ユニット２０ａａの側方に配置されている。
【００３３】
第２輻射パネル２２ｂも、第１輻射パネル２２ａと同様の構造であり、内部空間と第２側面吹出口３３とが連通するように温度調整ユニット２０ａａの第２側面に取り付けられており、温度調整ユニット２０ａａと水平方向に並んで温度調整ユニット２０ａａの側方に配置されている。第２輻射パネル２２ｂは、間に温度調整ユニット２０ａａを挟んで第１輻射パネル２２ａと反対側に設けられている。
【００３４】
〈制御部〉
この空気調和機１００は、図４に示す制御部４を備えている。制御部４は、室外機１および輻射型室内機２ａに分散して配置されており、室外機１および輻射型室内機２ａの制御を行う。具体的には、制御部４は、圧縮機１０、電動膨張弁１４、四路切換弁１１、室外送風機１５、送風機２３、第１開閉機構４１を制御することにより、空気調和機１００の運転の制御を行う。
【００３５】
また、制御部４は、無線又は有線によってリモコン装置４４と通信可能であり、居住者等はリモコン装置４４を操作することによって各種の指示を制御部４へと送信することができる。リモコン装置４４からの指示内容としては、電源のオン・オフや、冷房運転や暖房運転の設定温度および風量や、暖房運転、冷房運転、除湿運転などの空気調和機１００の運転内容の指示などがある。なお、制御部４は、四路切換弁１１を制御することによって、冷媒回路における冷媒の循環方向を切り換えて暖房運転と冷房運転とを切り換えることができる。
【００３６】
〈制御部による制御〉
以下、制御部４によって行われる空気調和運転の制御について説明する。制御部４によって行われる空気調和運転には、主として、暖房運転、冷房運転、除湿運転がある。
（暖房運転）
暖房運転時には、四路切換弁１１が図１の実線で示す状態にされ、冷媒が実線矢印Ａ１の方向に冷媒回路を流れる。この冷媒回路の流れでは、圧縮機１０から吐出された冷媒は、冷媒配管８２を流れ、輻射型室内機２ａの室内熱交換器２１を流れた後、冷媒配管８１を通る。そして、冷媒は、電動膨張弁１４を通った後、室外熱交換器１３を流れ、その後、圧縮機１０へと吸入される。また、暖房運転時には、第１開閉機構４１によって上面吹出口３２が全閉状態とされる。
【００３７】
この暖房運転時には、室内の空気が温度調整ユニット２０ａａの吸込口２５から取り込まれ、室内熱交換器２１において加熱された後に、第１側面吹出口３１および第２側面吹出口３３から吹き出される。第１側面吹出口３１から吹き出された暖かい空気は、第１輻射パネル２２ａの内部空間に送られ、第１輻射パネル２２ａの内部空間の圧力が大気圧より高くなる。この圧力差により、内部空間の空気が第１輻射パネル２２ａの繊維の隙間を通って室内ＲＳへと吹き出される。このとき、第１輻射パネル２２ａの表面の全面から概ね均一な空気が穏やかに吹き出される。また、内部空間の暖かい空気によって第１輻射パネル２２ａが暖められることにより、第１輻射パネル２２ａの表面から熱輻射が生じる。これにより、室内ＲＳを穏やかに暖房することができる。
【００３８】
また、上記のように第１輻射パネル２２ａの表面からの穏やかな暖かい空気の吹き出しにより、第１輻射パネル２２ａに沿って緩やかな上昇気流が発生する。また、室内ＲＳの冷たい空気は室内ＲＳの下部に流れ、温度調整ユニット２０ａａの吸込口２５から吸い込まれる。これにより、室内ＲＳ全体に緩やかな循環流が生じ、偏りの少ない均一な温度分布を実現することができる。
【００３９】
第２輻射パネル２２ｂについても第１輻射パネル２２ａと同様である。
なお、空気調和機１００の起動初期のように迅速に暖房を行いたい場合には、上面吹出口３２を開状態とし、その後、目的温度到達後に吹出口３２を閉状態としてもよい。
（冷房運転）
冷房運転時には、四路切換弁１１が図１の波線で示す状態にされ、冷媒が波線矢印Ａ２の方向に冷媒回路を流れる。この冷媒回路の流れでは、圧縮機１０から吐出された冷媒は、まず室外熱交換器１３を流れた後、電動膨張弁１４で膨張する。膨張した冷媒は、冷媒配管８１を通り、室内熱交換器２１を流れた後、冷媒配管８２を通って圧縮機１０へと吸入される。また、冷房運転時には、第１開閉機構４１によって上面吹出口３２が開状態とされる。
【００４０】
この冷房運転時には、室内ＲＳの空気が温度調整ユニット２０ａａの吸込口２５から取り込まれ、室内熱交換器２１において冷却された後に、上面吹出口３２、第１側面吹出口３１および第２側面吹出口３３から吹き出される。上面吹出口３２からは、冷たい空気が上向きに直接室内ＲＳに吹き出される。第１側面吹出口３１から吹き出された冷たい空気は、第１輻射パネル２２ａの内部空間に送られ、第１輻射パネル２２ａの内部空間の圧力が大気圧より高くなる。この圧力差により、内部空間の空気が第１輻射パネル２２ａの繊維の隙間を通って室内ＲＳへと吹き出される。このとき、第１輻射パネル２２ａの表面の全面から概ね均一な空気が穏やかに吹き出される。また、内部空間の冷たい空気によって第１輻射パネル２２ａが冷却されることにより、第１輻射パネル２２ａの表面から冷輻射が生じる。このように、冷房運転時には、上面吹出口３２からの直接的な空気の吹き出しと、第１輻射パネル２２ａからの輻射と穏やかな空気の吹き出しとによって、室内ＲＳの冷房を行うことができる。
【００４１】
第２輻射パネル２２ｂについても第１輻射パネル２２ａと同様である。
なお、就寝時などのようにドラフトによる不快感を特に低減させたい場合には、上面吹出口３２を閉状態としてもよい。
（除湿運転）
除湿運転時には、四路切換弁１１が図１の波線で示す状態にされ、冷媒が波線矢印Ａ２の方向に冷媒回路を流れる。これにより、冷媒は冷房運転時と同様にして冷媒回路を流れる。除湿運転時には、除湿された空気が輻射型室内機２ａから室内ＲＳへと穏やかに吹き出される。なお、空気の吹き出しについては、上記の冷房運転時と同様である。
【００４２】
〈特徴〉
（１）
この空気調和機１００では、第１輻射パネル２２ａと第２輻射パネル２２ｂとが、温度調整ユニット２０ａａの側方に水平方向に並んで配置される。このため、第１輻射パネル２２ａと第２輻射パネル２２ｂとから吹き出された空気が直ちに温度調整ユニット２０ａａに吸い込まれてしまうショートサーキットの発生を防止することができる。
【００４３】
（２）
この空気調和機１００では、暖房運転時に、輻射パネル２２からの熱輻射と暖かい空気の穏やかな吹き出しとによって暖房が行われる。このため、ドラフト感が抑えられた快適な暖房を行うことができる。
また、このとき、上記のように室内ＲＳに緩やかな循環流が生じるため、均一な温度分布が実現され、より快適な暖房を行うことができる。
【００４４】
（３）
この空気調和機１００では、冷房運転時に輻射パネル２２からの冷輻射と冷たい空気の穏やかな吹き出しだけではなく、上面吹出口３２からの室内ＲＳへの直接的な空気の吹き出しによって冷房を行うことができる。このため、輻射パネル２２からの冷輻射と吹き出しのみによる冷房が行われる場合よりも迅速に室内ＲＳの冷房を行うことができる。
【００４５】
（４）
室内ＲＳの床面に配置される空気調和機としては、いわゆるラジエーター方式の空気調和機があるが、本発明にかかる空気調和機１００では、ラジエーター方式の空気調和機よりも輻射効果が高いため、ドラフトによる不快感をより効果的に抑えることができる。また、本発明にかかる空気調和機１００は、ラジエーター方式よりも容易に施行することができる。
【００４６】
＜第２実施形態＞
〈構成〉
本発明の第２実施形態にかかる空気調和機１００の輻射型室内機２ｂを図５に示す。
この輻射型室内機２ｂでは、第１実施形態にかかる輻射型室内機２ａの上面吹出口３２に代えて、正面吹出口３４，３５が設けられている。この正面吹出口３４，３５は、温度調整ユニット２０ｂの正面上部に設けられる正面上吹出口３４（第２吹出口）と、温度調整ユニット２０ｂの正面下部に設けられる正面下吹出口３５（第３吹出口）とを有している。
【００４７】
正面上吹出口３４には、正面上吹出口３４の開閉を行う第２開閉機構４２（図６参照）が設けられている。第２開閉機構４２は、正面上吹出口３４に設けられた板状部材（図示せず）を制御部４からの指示信号に基づいて移動させることによって、正面上吹出口３４を開閉することができる。
また、正面下吹出口３５には、正面下吹出口３５の開閉を行う第３開閉機構４３（図６参照）が設けられている。第３開閉機構４３（開閉機構）は、正面下吹出口３５に設けられた板状部材（図示せず）を制御部４からの指示信号に基づいて移動させることによって、正面下吹出口３５を開閉することができる。
【００４８】
また、吸込口３６は、正面上吹出口３４と正面下吹出口３５との間に位置しており、温度調整ユニット２０ｂの正面中央に設けられている。
制御部４は、第２開閉機構４２および第３開閉機構４３を制御して、冷房運転時には、正面下吹出口３５を閉じ、且つ、正面上吹出口３４を開く。また、制御部４は、暖房運転時には、正面下吹出口３５を開き正面上吹出口３４を閉じるか、或いは、正面下吹出口３５と正面上吹出口３４との両方を開く。
【００４９】
他の構成については、第１実施形態と同様である。
〈特徴〉
この空気調和機１００では、暖房運転時には正面下吹出口３５から暖かい空気が吹き出され、冷簿運転時には正面上吹出口３４から冷たい空気が吹き出されるため、偏りの少ない快適な温度分布を実現することができる。
なお、ドラフトによる不快感をより低減させたい場合には、正面上吹出口３４と正面下吹出口３５との両方を閉状態としてもよい。
【００５０】
＜第３実施形態＞
〈構造〉
本発明の第３実施形態にかかる空気調和機１００の輻射型室内機２ｃを図７に示す。
【００５１】
この輻射型室内機２ｃでは、温度調整ユニット２０ｃは、第３側面吹出口３７（第４吹出口）と第４側面吹出口３８とを有する。
第３側面吹出口３７は、第１側面吹出口３１が設けられた第１側面において第１側面吹出口３１と水平方向に並んで設けられている開口である。第３側面吹出口３７には輻射パネルは取り付けられておらず、温度調整された空気を室内ＲＳへと直接的に吹き出すことができる。第３側面吹出口３７は、第１側面吹出口３１と同様に鉛直方向に長い形状を有している。第３側面吹出口３７は、第１側面吹出口３１よりも前側に設けられており、第１輻射パネル２２ａの前側に設けられている。また、第３側面吹出口３７からは第１輻射パネル２２ａに沿う方向に温度調整された空気が吹き出される（白抜き矢印Ａ３参照）。
【００５２】
また、第３側面吹出口３７には、第４開閉機構４５（図８参照）が設けられている。第４開閉機構４５は、第３側面吹出口３７に設けられた図示しない板状部材を制御部４からの指示信号に基づいて移動させることによって第３側面吹出口３７を開閉することができる。
第４側面吹出口３８は、第２側面吹出口３３が設けられた第２側面において第２側面吹出口３３と水平方向に並んで設けられた開口である。第４側面吹出口３８には輻射パネルは取り付けられておらず、温度調整された空気を室内ＲＳへと直接的に吹き出すことができる。第４側面吹出口３８は、第２側面吹出口３３と同様に鉛直方向に長い形状を有している。第４側面吹出口３８は、第２側面吹出口３３よりも前側に設けられており、第２輻射パネル２２ｂの前側に設けられている。また、第４側面吹出口３８からは第２輻射パネル２２ｂに沿う方向に温度調整された空気が吹き出される（白抜き矢印Ａ４参照）。
【００５３】
また、第４側面吹出口３８には、第５開閉機構４６が設けられている（図８参照）。第５開閉機構４６は、第４側面吹出口３８に取り付けられた図示しない板状部材を制御部４からの指示信号に基づいて移動させることによって第４側面吹出口３８を開閉することができる。
他の構成については、第１実施形態と同様である。
【００５４】
〈特徴〉
この空気調和機１００では、上面吹出口３２、第３側面吹出口３７および第４側面吹出口３８から直接的に室内ＲＳへ空気を吹き出すことができるため、迅速に室内ＲＳの冷暖房を行うことができる。
また、第３側面吹出口３７および第４側面吹出口３８は温度調整ユニット２０ｃの側面に設けられ、第３側面吹出口３７および第４側面吹出口３８から輻射パネル２２に沿って空気が吹き出されるため、水平方向に幅広く空気を吹き出すことができる。
【００５５】
なお、第３側面吹出口３７および第４側面吹出口３８からは輻射パネル２２に沿って空気が吹き出されるため室内ＲＳの人に直接空気が吹き付けられることを抑えることができるが、迅速な冷暖房が不要な場合には、第３側面吹出口３７および第４側面吹出口３８を閉状態としてもよい。これによって、ドラフト感がより一層抑えられた快適な冷暖房を行うことができる。
【００５６】
＜他の実施形態＞
（Ａ）
上記の実施形態では、温度調整ユニット２０ａの両側方にそれぞれ第１輻射パネル２２ａと第２輻射パネル２２ｂとが設けられているが、第１輻射パネル２２ａと第２輻射パネル２２ｂとのいずれか一方のみが設けられてもよい。この場合も上記の実施形態と同様にショートサーキットの防止等の効果を奏することができる。
【００５７】
また、第１輻射パネル２２ａと第２輻射パネル２２ｂとがそれぞれ温度調整ユニット２０ａに対して着脱自在とされ、第１輻射パネル２２ａまたは第２輻射パネル２２ｂが取り付けられてない場合には第１側面吹出口３１または第２側面吹出口３３が封鎖可能とされてもよい。この場合、輻射型室内機２ａが設置される場所に応じて、第１輻射パネル２２ａと第２輻射パネル２２ｂとのいずれか一方のみ、又は、第１輻射パネル２２ａと第２輻射パネル２２ｂとの両方を設けるか否かを自由に選択することができる。例えば、図９（ａ）に示すように、室内ＲＳの隅に輻射型室内機２ａが配置される場合には、第１輻射パネル２２ａと第２輻射パネル２２ｂとのいずれか一方のみを取り付けるとよい。これにより、輻射型室内機２ａの配置の自由度が向上する。
【００５８】
（Ｂ）
上記の実施形態では、互いに平行な温度調整ユニット２０ａの２つの側面にそれぞれ第１輻射パネル２２ａと第２輻射パネル２２ｂとが取り付けられているが、第１輻射パネル２２ａと第２輻射パネル２２ｂとが取り付けられる位置はこれに限られるものではなく、温度調整ユニット２０ａが有する鉛直方向に伸びる複数の面のうちのいずれか２つに設けることができる。例えば、図９（ｂ）に示すように、互いに交差する２つの側面にそれぞれ第１輻射パネル２２ａと第２輻射パネル２２ｂとが取り付けられてもよい。なお、この場合、第１側面吹出口３１と第２側面吹出口３３とは、第１輻射パネル２２ａと第２輻射パネル２２ｂとの取付位置に対応した位置に配置される。
【００５９】
（Ｃ）
上記の第２実施形態においては、吸込口３６が温度調整ユニット２０ｂの正面に設けられているが、吸込口３６の配置はこれに限られるものではなく、例えば、温度調整ユニット２０ｂの上面に設けられてもよい。
（Ｄ）
上記の第１実施形態では、第１開閉機構４１は制御部４からの指示信号に基づいて自動的に上面吹出口３２を開閉している。また、第２実施形態では、第２開閉機構４２および第３開閉機構４３は、制御部４からの指示信号に基づいて自動的に正面上吹出口３４および正面下吹出口３５を開閉している。また、第３実施形態では、第４開閉機構４５および第５開閉機構４６は、制御部４からの指示信号に基づいて自動的に第３側面吹出口３７および第４側面吹出口３８を開閉している。しかし、これらの開閉機構は、手動で各吹出口を開閉可能とされていてもよい。この場合、室内ＲＳの人が手動で上記の実施形態と同様に各吹出口を開閉することによって、上記と同様の効果を奏することができる。
【産業上の利用可能性】
【００６０】
本発明は、輻射パネルから吹き出された空気が上昇して直ちに室内機本体に吸い込まれるショートサーキットの発生を抑えることができる効果を有し、空気調和機の室内機として有用である。
【図面の簡単な説明】
【００６１】
【図１】第１実施形態にかかる空気調和機の冷媒回路図。
【図２】第１実施形態にかかる輻射型室内機の室内での配置を示す図。
【図３】第１実施形態にかかる輻射型室内機の外観斜視図。
【図４】第１実施形態にかかる空気調和機の制御ブロック図。
【図５】第２実施形態にかかる輻射型室内機の外観斜視図。
【図６】第２実施形態にかかる空気調和機の制御ブロック図。
【図７】第３実施形態にかかる輻射型室内機の外観斜視図。
【図８】第３実施形態にかかる空気調和機の制御ブロック図。
【図９】他の実施形態にかかる輻射型室内機示す概略図。
【符号の説明】
【００６２】
２ａ−２ｃ        輻射型室内機（室内機）
２０ａ−２０ｃ    温度調整ユニット（室内機本体）
２１              室内熱交換器（温度調整部）
２２ａ            第１輻射パネル
２２ｂ            第２輻射パネル
２５，３６        吸込口
３１              第１側面吹出口（第１吹出口）
３２              上面吹出口（第２吹出口）
３３              第２側面吹出口（第５吹出口）
３４              正面上吹出口（第２吹出口）
３５              正面下吹出口（第３吹出口）
３７              第３側面吹出口（第４吹出口）
４３              第３開閉機構（開閉機構）
１００            空気調和機
ＲＳ              室内
【図１】
2007032865.tif 000003
【図２】
2007032865.tif 000004
【図３】
2007032865.tif 000005
【図４】
2007032865.tif 000006
【図５】
2007032865.tif 000007
【図６】
2007032865.tif 000008
【図７】
2007032865.tif 000009
【図８】
2007032865.tif 000010
【図９】
2007032865.tif 000011